(57)【特許請求の範囲】
【請求項１】
情報を表示するための方法であって、
プロセッサおよびディスプレイを備えるデバイスによって、第１のオンライン情報を前記ディスプレイ上の第１のインタラクティブインターフェース内に表示するステップと、
前記デバイスによって、前記第１のインタラクティブインターフェースから第２のインタラクティブインターフェースに切り替えるための切り替え命令を受信したときに現在の位置情報を保存するステップであって、前記現在の位置情報は、前記切り替え命令を受信したときに前記第１のインタラクティブインターフェース内に表示される現在のオンライン情報を指示するブックマークを含む、ステップと、
前記デバイスによって、前記切り替え命令に従って前記第１のインタラクティブインターフェースから前記第２のインタラクティブインターフェースに切り替えるステップと、
前記デバイスによって、前記第１のオンライン情報を表示するための表示命令を受信したときに前記第２のインタラクティブインターフェースから前記第１のインタラクティブインターフェースに切り替えるステップと、
前記デバイスによって、前記現在の位置情報に従って前記現在のオンライン情報を表示するように前記第１のインタラクティブインターフェースを制御するステップとを含み、
前記現在の位置情報を保存するステップは、
前記第１のオンライン情報の先頭から前記現在の位置情報までのオフセット情報を保存するステップを含み、
前記現在の位置情報に従って前記現在のオンライン情報を表示するように前記第１のインタラクティブインターフェースを制御するステップは、
前記第１のオンライン情報が記憶されているサーバに前記現在の位置情報を送信するステップと、
前記サーバによって送信されたオンライン情報のターゲットデータを受信するステップと、
前記オンライン情報のターゲットデータを前記第１のインタラクティブインターフェースに表示するステップとを含み、
前記オンライン情報のターゲットデータは、前記現在のオンライン情報及びユーザの操作に従って予め設定された現在のオンライン情報よりも後に発行されるオンライン情報を含む、
ことを特徴とする方法。
【請求項２】
前記現在のオンライン情報を表示するように前記第１のインタラクティブインターフェースを制御するステップは、
前記オフセット情報に従って前記現在のオンライン情報を表示するように前記第１のインタラクティブインターフェースを制御するステップを含む請求項１に記載の方法。
【請求項３】
前記現在の位置情報に従って前記現在のオンライン情報を表示するように前記第１のインタラクティブインターフェースを制御するステップは、
前記現在の位置情報に従って事前に記憶されているオンライン情報から前記現在のオンライン情報にアクセスするステップと、
前記現在のオンライン情報を前記第１のインタラクティブインターフェースに表示するステップとを含む請求項１に記載の方法。
【請求項４】
前記オンライン情報は、ページ情報および会話情報のうちの少なくとも一方を含む請求項１に記載の方法。
【請求項５】
情報を表示するためのデバイスであって、
第１のインタラクティブインターフェースを第２のインタラクティブインターフェースに切り替えるための切り替え命令を受信したときに現在のオンライン情報の位置を表す現在の位置情報を記憶するように構成された記憶ユニットであって、前記現在のオンライン情報は、前記第１のインタラクティブインターフェースから前記第２のインタラクティブインターフェースに切り替えるための切り替え命令を受信したときに前記第１のインタラクティブインターフェースに表示される情報である、記憶ユニットと、
表示ユニットであって、前記第１のインタラクティブインターフェース内に第１のオンライン情報を表示するように構成され、前記第２のインタラクティブインターフェースから前記第１のインタラクティブインターフェースに切り替え、前記第１のインタラクティブインターフェースを、前記第１のオンライン情報を表示するための表示命令を受信したときに前記現在のオンライン情報を表示するように制御するように構成された表示ユニットと、
前記切り替え命令に従って前記第１のインタラクティブインターフェースから前記第２のインタラクティブインターフェースに切り替えるように構成された切り替えユニットとを備え、
前記記憶ユニットは、前記第１のインタラクティブインターフェースから前記第２のインタラクティブインターフェースに切り替えるための切り替え命令を受信したときに前記第１のオンライン情報の先頭から前記現在の位置情報までのオフセット情報を記憶するように構成され、
前記表示ユニットは、前記記憶ユニット内に保存されている前記現在の位置情報を前記オンライン情報が記憶されているサーバに送信し、前記サーバによって送信されたオンライン情報のターゲットデータを受信し、前記オンライン情報のターゲットデータを前記第１のインタラクティブインターフェースに表示するようにさらに構成され、
前記オンライン情報のターゲットデータは、前記現在のオンライン情報及びユーザの操作に従って予め設定された現在のオンライン情報よりも後に発行されるオンライン情報を含む、
ことを特徴とするデバイス。
【請求項６】
前記表示ユニットは、前記記憶ユニットに保存されている前記オフセット情報に従って前記現在のオンライン情報の前記位置へ前記第１のインタラクティブインターフェースを制御するようにさらに構成される請求項５に記載のデバイス。
【請求項７】
前記表示ユニットは、前記記憶ユニットに保存されている前記現在の位置情報に従って事前に記憶されているオンライン情報から前記現在のオンライン情報にアクセスし、前記現在のオンライン情報を前記第１のインタラクティブインターフェースに表示するように構成される請求項５に記載のデバイス。
【請求項８】
前記オンライン情報は、ページ情報および会話情報のうちの少なくとも一方を含む請求項５に記載のデバイス。
【請求項９】
端末であって、
第１のインタラクティブインターフェースを第２のインタラクティブインターフェースに切り替えるための切り替え命令を受信したときに現在のオンライン情報の位置を表す現在の位置情報を記憶するように構成された記憶ユニットであって、前記現在のオンライン情報は、前記第１のインタラクティブインターフェースから前記第２のインタラクティブインターフェースに切り替えるための切り替え命令を受信したときに前記第１のインタラクティブインターフェース上に表示される情報である、記憶ユニットと、
表示ユニットであって、前記第１のインタラクティブインターフェース内に第１のオンライン情報を表示するように構成され、前記第２のインタラクティブインターフェースから前記第１のインタラクティブインターフェースに切り替え、前記第１のインタラクティブインターフェースを、前記第１のオンライン情報を表示するための表示命令を受信したときに前記現在のオンライン情報を表示するように制御するように構成された表示ユニットと、
前記記憶ユニット内に保存されている前記切り替え命令に従って前記第１のインタラクティブインターフェースから前記第２のインタラクティブインターフェースに切り替えるように構成された切り替えユニットとを備え、
前記記憶ユニットは、前記第１のインタラクティブインターフェースから前記第２のインタラクティブインターフェースに切り替えるための切り替え命令を受信したときに前記第１のオンライン情報の先頭から前記現在のオンライン情報位置までのオフセット情報を保存するように構成され、
前記表示ユニットは、前記記憶ユニットによって保存されている前記オフセット情報に従って前記現在のオンライン情報の前記位置へ前記第１のインタラクティブインターフェースを制御するように構成され、
前記表示ユニットは、前記記憶ユニット内に保存されている前記現在の位置情報を前記オンライン情報が記憶されているサーバに送信し、前記サーバによって送信されたオンライン情報のターゲットデータを受信し、前記オンライン情報のターゲットデータを前記第１のインタラクティブインターフェースに表示するように構成され、
前記オンライン情報のターゲットデータは、前記現在のオンライン情報及びユーザの操作に従って予め設定された現在のオンライン情報よりも後に発行されるオンライン情報を含む、
ことを特徴とする端末。
【請求項１０】
前記表示ユニットは、前記記憶ユニットに保存されている前記現在の位置情報に従って事前に記憶されているオンライン情報から前記現在のオンライン情報にアクセスし、前記現在のオンライン情報を前記第１のインタラクティブインターフェースに表示するように構成される請求項９に記載の端末。
【請求項１１】
前記オンライン情報は、ページ情報および会話情報のうちの少なくとも一方を含む請求項９に記載の端末。
【発明の詳細な説明】
【技術分野】
【０００１】
関連出願の相互参照
本出願は、その全体が参照により本明細書に組み込まれている、2013年9月22日に出願した中国特許出願第201310432752.0号の継続出願である。
【０００２】
本開示は、インターネット技術の分野、特に情報を表示するための方法およびデバイスに関する。
【背景技術】
【０００３】
インターネット技術が発展したことにより、情報を閲覧または共有する、などのために、ユーザはインターネットを使用することができる。一般的に、インターネット技術における閲覧もしくは共有、または同様の作業は、インタラクティブインターフェース上で実行される。例えば、一方のインタラクティブインターフェースは、情報閲覧用であり、別のインタラクティブインターフェースは、情報共有(チャットなど)用である。しかしながら、実際面では、ユーザは、多くの場合、現在のインタラクティブインターフェースを終了して、別のインタラクティブインターフェースで閲覧する必要がある。それに加えて、ユーザの誤操作は、現在のインタラクティブインターフェースの終了を引き起こし得る。そのため、ユーザが現在のインタラクティブインターフェースに対応している情報の閲覧を再開する必要があるときに、その情報を表示するためのインタラクティブインターフェースは、再び、すでに最後の閲覧プロセスで読んでしまっている情報の先頭から開始することになる。したがって、ユーザは、閲覧を続行するためにその情報を最後に閲覧が終了した位置にドラッグする必要がある。したがって、情報閲覧の現在の効率は、比較的低いことは明らかである。
【発明の概要】
【発明が解決しようとする課題】
【０００４】
本開示の実施形態は、情報の閲覧効率を高め、デバイスの電力消費量を低減し得る、方法およびデバイスを提供する。
【課題を解決するための手段】
【０００５】
一態様では、情報を表示するための方法は、プロセッサおよびディスプレイを備えるデバイスによって、第1のオンライン情報をディスプレイ上の第1のインタラクティブインターフェース内に表示するステップと、デバイスによって、第1のインタラクティブインターフェースから第2のインタラクティブインターフェースに切り替えるための切り替え命令を受信したときに現在の位置情報を保存するステップであって、現在の位置情報は、切り替え命令を受信したときに第1のインタラクティブインターフェース内に表示される現在のオンライン情報を指示するブックマークを含む、ステップと、デバイスによって、切り替え命令に従って第1のインタラクティブインターフェースから第2のインタラクティブインターフェースに切り替えるステップと、デバイスによって、第1のオンライン情報を表示するための表示命令を受信したときに第2のインタラクティブインターフェースから第1のインタラクティブインターフェースに切り替えるステップと、デバイスによって、現在の位置情報に従って現在のオンライン情報を表示するように第1のインタラクティブインターフェースを制御するステップとを含む。
【０００６】
別の態様では、情報を表示するためのデバイスは、記憶ユニットと、表示ユニットと、切り替えユニットとを備える。記憶ユニットは、第1のインタラクティブインターフェースから第2のインタラクティブインターフェースに切り替えるための切り替え命令を受信したときに現在のオンライン情報の位置を表す現在の位置情報を記憶するように構成される。現在のオンライン情報は、第1のインタラクティブインターフェースから第2のインタラクティブインターフェースに切り替えるための切り替え命令を受信したときに第1のインタラクティブインターフェース内に表示される情報である。表示ユニットは、第1のインタラクティブインターフェース内に第1のオンライン情報を表示するように構成される。表示ユニットは、第2のインタラクティブインターフェースから第1のインタラクティブインターフェースに切り替え、第1のインタラクティブインターフェースを、第1のオンライン情報を表示するための表示命令を受信したときに現在のオンライン情報を表示するように制御するようにも構成され、切り替えユニットは、切り替え命令に従って第1のインタラクティブインターフェースから第2のインタラクティブインターフェースに切り替えるように構成される。
【０００７】
さらに別の態様では、端末は、第1のインタラクティブインターフェースを第2のインタラクティブインターフェースに切り替えるための切り替え命令を受信したときに現在のオンライン情報の位置を表す現在の位置情報を記憶するように構成された記憶ユニットであって、現在のオンライン情報は、第1のインタラクティブインターフェースから第2のインタラクティブインターフェースに切り替えるための切り替え命令を受信したときに第1のインタラクティブインターフェース上に表示される情報である、記憶ユニットと、表示ユニットであって、第1のインタラクティブインターフェース内に第1のオンライン情報を表示するように構成され、第2のインタラクティブインターフェースから第1のインタラクティブインターフェースに切り替え、第1のインタラクティブインターフェースを、第1のオンライン情報を表示するための表示命令を受信したときに現在のオンライン情報を表示するように制御するように構成された表示ユニットと、記憶ユニット内に保存されている切り替え命令に従って第1のインタラクティブインターフェースから第2のインタラクティブインターフェースに切り替えるように構成された切り替えユニットとを備える。
【発明の効果】
【０００８】
開示のこの実施形態では、ユーザがインタラクティブインターフェースを切り替えるときに、ユーザは、最後に表示した位置から情報の閲覧を開始することができる。すなわち、現在のオンライン情報が直接表示され、このことにより、情報の閲覧効率が向上し、デバイスの電力消費量が節減される。
【０００９】
本開示および従来技術の実施形態の技術スキームに関するさらなる図解を行うためにこれらの実施形態および従来技術において使用される添付図面が簡潔に紹介される。説明されている添付図面は、本開示の具体的な実施形態のみを対象としていることは明らかである。当業者であれば、創造的作業を伴うことなくそれらの図面に従って他の添付図面を得ることができる。
【図面の簡単な説明】
【００１０】
【図１】本開示の一実施形態によって実現される情報表示のための方法を示す流れ図である。
【図２】本開示の一実施形態によって実現される情報表示のための別の方法を示す流れ図である。
【図３】本開示の一実施形態によって実現される情報表示のための別の方法を示す流れ図である。
【図４】本開示の一実施形態によって与えられるオプションの一例を示す図である。
【図５】本開示の一実施形態によって実現される情報表示のための方法を示す構造図である。
【図６】本開示の一実施形態によって実現される情報表示のための方法を示す構造図である。
【発明を実施するための形態】
【００１１】
本開示の実施形態の添付図面と組み合わせて、本開示の実施形態における技術スキームについて説明する。明らかに、これらの実施形態は、以下では、これらのすべてではなく、一部のみについて説明されている。創造的作業を伴うことなく当業者によってなされる他の実施形態は、本開示の範囲内にある。
【００１２】
インタラクティブインターフェースは、人間と端末(コンピュータ、ラップトップ、携帯端末、パッド、携帯電話、など)との間の情報交換のチャネルである。インタラクティブインターフェースは、端末に情報を入力し、操作を実行するためにユーザによって使用されるが、携帯端末は、読み込み、分析、および判断のための情報を提供するために使用される。本開示の実施形態におけるインタラクティブインターフェースは、ホームページ、ソフトウェア、またはアプリケーション、さらには様々な機能ボタン、および入力の後に表示されるインタラクティブインターフェースを含む。異なるレベルの、または異なるトリガーイベントの後に現れる、インタラクティブインターフェースは、異なるインタラクティブインターフェースであり、同じレベルの、または1つのトリガーイベントの後に現れる、インタラクティブインターフェースは、同じインタラクティブインターフェースであり、これはインタラクティブインターフェース上で読む内容によって決定されない。様々なインタラクティブインターフェースの間の相違は、特定のレベルにおけるインタラクティブインターフェースの固有の相違にのみ関係し、インタラクティブインターフェース内のコンテンツに関係しない。例えば、Wechatのフレンドサイクル(friend cycle)は、インタラクティブインターフェースAであり、チャットインターフェースは、インタラクティブインターフェースBであり、これらは異なるインタラクティブインターフェースである。ユーザが、フレンドサイクルを出て、チャットインターフェースに入り、次いでフレンドサイクルに戻ると、フレンドサイクル内のコンテンツは変化しているが、現フレンドサイクルは、依然として、インタラクティブインターフェースAである。
【００１３】
図1は、本開示の実施形態によって提供される情報を表示するための方法の流れ図を示している。図1に示されているように、この方法は以下のステップを含む。
【００１４】
ステップS101:プロセッサおよびディスプレイを備える、デバイスが、第1のオンライン情報をディスプレイ上の第1のインタラクティブインターフェース内に表示する。
【００１５】
特に、オンライン情報は、第1のインタラクティブインターフェース上に表示されるものとしてよく、そこでは、第1のインタラクティブインターフェースは、ユーザの通信のインタラクティブインターフェースであり得る。第1のオンライン情報は、ページ情報または会話情報を含み得る。
【００１６】
例えば、オンライン情報が、インタラクティブインターフェースに表示されるときに、オンライン情報は、インタラクティブインターフェース上に表示され得る任意の情報、例えば、ページ情報または会話情報であってよい。特に、上記の通信は、リアルタイム通信であってよく、上記のページ情報は、ソーシャルネットワーク情報であってよく、会話情報は、グループ会話情報または単一のアカウントの会話情報であってよい。
【００１７】
ステップS102:デバイスが、第1のインタラクティブインターフェースから第2のインタラクティブインターフェースに切り替えるための切り替え命令を受信したときに現在の位置情報を保存する。現在の位置情報は、第1のインタラクティブインターフェース上に表示される現在のオンライン情報を指示するブックマークを含む。現在のオンライン情報は、切り替え命令を受信したときに第1のインタラクティブインターフェース上に表示される情報である。
【００１８】
特に、ユーザの切り替え命令は、デバイスによって受信される。切り替え命令が受信されると、現在の位置情報は保存される。特に、現在のオンライン情報は、現在のオンライン情報の位置、例えば、オンライン情報のオフセット値、すなわち、上記のオンライン情報内の現在のオンライン情報の位置によって直接表される。特に、現在のオンライン情報は、現在のオンライン情報の位置、例えば、現在のオンライン情報のブックマークによって間接的に表される。すなわち、ブックマークは、現在のオンライン情報の位置を決定するために用いられ得る、現在のオンライン情報の唯一の識別である。
【００１９】
上記のオンライン情報は、特定の1つのページ、またはいくつかのページを含み得ると宣言されるべきである。現在のオンライン情報は、上記のオンライン情報の何らかの部分であり、ステップS101では、オンライン情報の別の部分を表示し得る。例えば、マイクロブログでは、上記のオンライン情報は、ユーザAのマイクロブログホームページを意味し、現在のオンライン情報は、ユーザAの関心事リスト(concern list)内の別のユーザによって発行された情報を意味し得る。例えば、グループダイアローグでは、オンライン情報は、すべてのグループ会話情報を意味し、現在のオンライン情報は、特定の会話のコンテンツを意味し得る。
【００２０】
ステップS103:デバイスが、切り替え命令に従って第1のインタラクティブインターフェースから第2のインタラクティブインターフェースに切り替える。
【００２１】
そこで、第2のインタラクティブインターフェースは、上記の第1のオンライン情報と異なる第2のオンライン情報を表示するために使用され得る。例えば、第1のオンライン情報は、ページ情報であり、第2のインタラクティブインターフェースは、会話情報を表示している。
【００２２】
ステップS104:デバイスが、オンライン情報を表示するための表示命令を受信すると、デバイスは、第2のインタラクティブインターフェースから第1のインタラクティブインターフェースに切り替え、第1のインタラクティブインターフェースを、現在の位置情報に従って現在のオンライン情報を表示するように制御する。
【００２３】
表示命令が受信されると、デバイスは、現在の位置情報に従って現在のオンライン情報を表示するように第1のインタラクティブインターフェースを制御することを可能にされる。したがって、ユーザは、最後の閲覧プロセスが終了した位置から第1のオンライン情報を読むことを続けることができる。例えば、オンライン情報がページ情報(例えば、テキスト情報)であり、現在のオンライン情報がページ情報のパラグラフ7であるときに、ステップ104は、ページ情報の最初の6個のパラグラフを飛び越して、パラグラフ7を直接表示することができる。例えば、オンライン情報がソーシャルネットワーク情報(例えば、Wechat情報)であり、現在のオンライン情報がユーザAのソーシャルネットワーク情報であるときに、ステップ104は、ユーザAの前のユーザのソーシャルネットワーク情報を飛び越して、ユーザAのソーシャルネットワーク情報を直接表示することができる。
【００２４】
上記のプロセスは、オンライン閲覧機能を備える任意のデバイス、すなわち、タブレットPC、携帯電話、電子書籍リーダー、リモーター、パーソナルコンピュータ(PC)、ラップトップ、車載機器、Web TV、ウェアラブルデバイス、およびネットワーク機能を有する他のスマートデバイスなどの、上記のプロセスを実行することがデバイスに対して適用される。
【００２５】
上記の技術スキームは、第1のインタラクティブインターフェース内に第1のオンライン情報を表示するステップと、第1のインタラクティブインターフェースから切り替えるための切り替え命令を受信したときに現在の位置情報を保存するステップとを含む。現在の位置情報は、切り替え命令を受信したときに第1のインタラクティブインターフェース上に表示される現在のオンライン情報を指示するブックマークを含む。デバイスは、切り替え命令に従って第1のインタラクティブインターフェースから第2のインタラクティブインターフェースに切り替える。デバイスは、第1のオンライン情報を表示するための表示命令を受信したときに第2のインタラクティブインターフェースから第1のインタラクティブインターフェースに切り替える。デバイスは、現在の位置情報に従って現在のオンライン情報を表示するように第1のインタラクティブインターフェースを制御する。
【００２６】
したがって、オンライン情報が再び表示されるときに、ユーザは、最後の表示位置から情報を閲覧することを開始することができる。すなわち、現在のオンライン情報が直接表示され、このことにより、情報の閲覧効率が向上し、デバイスの電力消費量が節減される。
【００２７】
図2は、本開示の実施形態によって提供される情報を表示するための別の方法の流れ図を示している。図2に示されているように、この方法は以下のステップを含む。
【００２８】
ステップS201:デバイスが、第1のインタラクティブインターフェース内に第1のオンライン情報を表示する。
【００２９】
ステップS202:第1のインタラクティブインターフェースを切り替えるための切り替え命令を受信したときに、デバイスが現在の位置情報を保存する。現在の位置情報は、切り替え命令を受信したときに第1のインタラクティブインターフェース上に表示される現在のオンライン情報を指示するブックマークを含む。
【００３０】
特に、デバイスは、上記の第1のオンライン情報を表示する。現在のオンライン情報のコンテンツのドラッグ操作が受け入れられた後、そのドラッグ操作に対応するオフセット情報が記録される。オフセット情報のオフセット値は、現在のオンライン情報のドラッグ変位に等しい。そこで、ステップS202は、現在のオフセット情報、すなわち、先頭から現在のオンライン情報の位置までの変位を保存することができる。
【００３１】
ステップS203:デバイスが、切り替え命令に従って第1のインタラクティブインターフェースから第2のインタラクティブインターフェースに切り替える。
【００３２】
ステップS204:第1のオンライン情報を表示するための表示命令を受信すると、デバイスは、第2のインタラクティブインターフェースから第1のインタラクティブインターフェースに切り替え、第1のインタラクティブインターフェースを、オフセット情報に従って現在のオンライン情報を表示するように制御する。
【００３３】
いくつかの実施形態では、ステップS204に従って第1のインタラクティブインターフェースで第1のオンライン情報を閲覧するプロセスは、オンライン情報を表示するための要求メッセージをオンライン情報が配置されるサーバに送信するステップを含み得る。サーバが要求メッセージを受信すると、サーバは、第1のインタラクティブインターフェースに対応する端末にオンライン情報を送信する。オンライン情報が受信されると、オンライン情報は、第1のインタラクティブインターフェース上に表示されるものとしてよく、第1のインタラクティブインターフェースは、オフセット位置に従って現在のオンライン情報の位置までスキップするように制御される。第1のインタラクティブインターフェースは、現在のオンライン情報の位置までスキップするように制御される、すなわち、現在のオンライン情報が第2のウィンドウに出力される。それによって、ユーザは、最後の閲覧セッションが終了した位置から情報を読むことを続けることができ、閲覧の効率が改善される。
【００３４】
上記の技術スキームにより、第2のウィンドウに、オフセット情報を使用して上記の現在の部分情報が出力される。それによって、ユーザは、最後の閲覧セッションが終了した位置から情報を読むことを続けることができ、閲覧の効率が改善され、デバイスの電力消費量が低減される。
【００３５】
図3は、本開示の実施形態によって提供される情報を表示するための別の方法の流れ図を示している。図3に示されているように、この方法は以下のステップを含む。
【００３６】
ステップS301:デバイスが、第1のインタラクティブインターフェース内に第1のオンライン情報を表示する。
【００３７】
ステップS302:第1のインタラクティブインターフェースを切り替えるための切り替え命令を受信したときに、デバイスが現在の位置情報を保存する。現在の位置情報は、現在のオンライン情報の位置を表す。現在のオンライン情報は、切り替え命令を受信したときに第1のインタラクティブインターフェース上に現在表示されている情報である。
【００３８】
一例において、ユーザの切り替え命令が受信される。切り替え命令が受信されると、現在の位置情報は保存される。特に、現在のオンライン位置情報は、現在のオンライン情報の位置、例えば、オンライン情報のオフセット値、すなわち、上記の第1のオンライン情報内の現在のオンライン情報の位置を直接表す。別の例では、現在のオンライン位置情報は、現在のオンライン情報の位置を、例えば、現在のオンライン情報のブックマークによって間接的に表す。すなわち、ブックマークは、現在のオンライン情報の位置を決定するために用いられ得る、現在のオンライン情報の唯一の識別である。
【００３９】
ステップS303:デバイスが、切り替え命令に従って第1のインタラクティブインターフェースから第2のインタラクティブインターフェースに切り替える。
【００４０】
ステップS304:デバイスは、第1のオンライン情報を表示するための表示命令を受信したときに第2のインタラクティブインターフェースから第1のインタラクティブインターフェースに切り替え、現在の位置情報に従って現在のオンライン情報を取得し、次いで、現在のオンライン情報を第1のインタラクティブインターフェース上に表示する。
【００４１】
いくつかの実施形態では、現在のオンライン情報を取得するステップは、現在のオンライン情報を含むオンライン情報のターゲットデータを取得するプロセスを含み得る。そこで、オンライン情報のターゲットデータは、特に、現在のオンライン情報の位置からプリセットされた位置までのオンライン情報であってよい。そこで、プリセットされた位置は、現在のオンライン情報の後、または下に設定されるものとしてよく、プリセットされた位置は、特に、ユーザの操作に従って予め設定されるか、またはサーバによって事前に割り当てられ得る。例えば、上記の位置までのオフセット距離は、特定の値であるか、または上記のプリセットされた位置は、終わりの位置である。例えば、上記のオンライン情報が、マイクロブログ情報である場合、オンライン情報のターゲットデータは、現在のオンライン情報および現在のオンライン情報よりも後に発行されるオンライン情報を含み得る。
【００４２】
上記のステップにより、第1のインタラクティブインターフェースは、スキップを必要とすることなく、上記の現在のオンライン情報を直接表示することができる。スキップするステップがないので、このプロセスを実現するためのデバイスの電力消費量は、低減され得る。
【００４３】
いくつかの実施形態では、現在の位置情報に従って現在のオンライン情報を表示するように第1のインタラクティブインターフェースを制御するステップは、
オンライン情報が記憶されているサーバに現在の位置情報を送信するステップと、
サーバによって送信された現在のオンライン情報を受信するステップと、
現在のオンライン情報を第1のインタラクティブインターフェース上に表示するステップとを含む。
【００４４】
上記の現在の位置を受信した後に、サーバは、現在のオンライン情報を選択し、第1のインタラクティブインターフェースに対応するデバイスに現在のオンライン情報を送信する。サーバは、第1のインタラクティブインターフェースに対応するデバイスにターゲットオンライン情報を送信し得る。
【００４５】
いくつかの実施形態では、現在の位置情報に従って現在のオンライン情報を表示するように第1のインタラクティブインターフェースを制御するステップは、
現在の位置情報に従って事前に記憶されているオンライン情報から現在のオンライン情報にアクセスするステップと、
現在のオンライン情報を第1のインタラクティブインターフェース上に表示するステップとを含む。
【００４６】
そこで、予め記憶されているオンライン情報は、ステップS301でオンライン情報を表示するときにキャッシュ内に入っているオンライン情報、またはユーザの操作に従って保存されたオンライン情報であってよい。それに加えて、予め記憶されているオンライン情報は、特に、ステップS301に表示されているオンライン情報および上記の現在のオンライン情報、さらには現在のオンライン情報の後のオンライン情報または上記のターゲットオンライン情報を含み得る。
【００４７】
技術スキームにおいて、第1のインタラクティブインターフェースは、スキップすることなく、現在のオンライン情報を直接表示することができる。それによって、情報閲覧の効率は、改善され、この方法を実現するためのデバイスの電力消費量は、低減される。
【００４８】
図4に示されているように、本発明を図解するために、以下に具体例を示す。
【００４９】
ステップS401:デバイスが、ソーシャルネットワーク情報、例えば、Web Viewまたはフレンドサイクルを表示する、すなわち、ユーザが、ソーシャルネットワークの情報を読む。
【００５０】
ステップS402:デバイスは、表示インターフェースを終了するためユーザによって入力された命令を受信する、すなわち、ユーザは、インターフェースを読むのを止める。
【００５１】
ステップS403:デバイスは、現在表示されている位置を保存し、現在の表示しているインターフェースを終了する、すなわち、デバイスは、ユーザの現在の読んでいるインターフェースを保存し、ユーザの現在の表示しているインターフェースを終了する。
【００５２】
ステップS404:デバイスは、再び上記のソーシャルネットワーク情報を読み、上記のソーシャルネットワーク情報を表示するためにユーザによって入力された命令を受信する、すなわち、ユーザは、再び上記のソーシャルネットワーク情報を読むことを必要とする。
【００５３】
ステップS405:デバイスは、上記の保存されている位置をアクセスし、保存されている位置までスキップする。したがって、最後に終了したときに表示されていた情報コンテンツが、再び表示され、ユーザは、最後に読み終わった位置からソーシャルネットワーク情報を続けることができる。
【００５４】
以下で、デバイスの実施形態について説明する。本開示によるデバイスの実施形態は、第1から第3の実施形態の方法において紹介された方法を実行するために使用される。紹介を簡単にするために、本発明の実施形態に関係する部分のみが示される。開示されていない技術的詳細を得るためには、第1、第2、および第3の実施形態を参照されたい。
【００５５】
図5は、本開示の実施形態によって提供される情報を表示するためのデバイスの構造図を示している。図5に示されているように、デバイスは、表示ユニット51と、記憶ユニット52と、切り替えユニット53とを備える。
【００５６】
表示ユニット51は、第1のインタラクティブインターフェース内に第1のオンライン情報を表示するために使用される。
【００５７】
特に、第1のオンライン情報は、第1のインタラクティブインターフェース上に表示されるものとしてよく、そこでは、第1のインタラクティブインターフェースは、通信のインタラクティブインターフェースであり得る。オンライン情報は、ページ情報または会話情報を含み得る。
【００５８】
例えば、オンライン情報が、インタラクティブインターフェースを通じて表示されるときに、オンライン情報は、インタラクティブインターフェースを通じて表示され得る任意の情報、例えば、ページ情報または会話情報であってよい。特に、上記の通信は、リアルタイム通信であってよく、上記のページ情報は、ソーシャルネットワーク情報であってよく、会話情報は、グループ会話情報または単一のアカウントの会話情報であってよい。
【００５９】
記憶ユニット52は、第1のインタラクティブインターフェースを切り替えるための切り替え命令を受信したときに現在のオンライン情報の位置を表す現在の位置情報を保存するために使用され、そこでは、現在のオンライン情報は、切り替え命令を受信したときに第1のインタラクティブインターフェース上に現在表示されている情報である。
【００６０】
特に、ユーザの切り替え命令が受信され、切り替え命令が受信されると、現在の位置情報は保存される。特に、現在のオンライン情報は、現在のオンライン情報の位置、例えば、オンライン情報のオフセット位置値、すなわち、上記のオンライン情報内の現在のオンライン情報の位置によって直接表される。特に、現在のオンライン情報は、現在のオンライン情報の位置、例えば、現在のオンライン情報のブックマークによって間接的に表される。すなわち、ブックマークは、現在のオンライン情報の位置を決定するために用いられ得る、現在のオンライン情報の唯一の識別である。
【００６１】
上記のオンライン情報は、特に、ある種のページまたはある種のオンライン情報であり得、現在のオンライン情報は、上記のオンライン情報の何らかの部分であると宣言されるべきである。例えば、マイクロブログに対応する場合、上記のオンライン情報は、ユーザAのマイクロブログホームページを意味し、現在のオンライン情報は、ユーザAの関心事リスト内の別のユーザによって発行された情報を意味し得る。例えば、グループダイアローグに対応する場合、オンライン情報は、グループ会話情報のすべてを意味し、現在のオンライン情報は、何らかの会話情報のコンテンツを意味し得る。
【００６２】
切り替えユニット53は、記憶ユニット52によって受信された切り替え命令に従って表示ユニット51によって表示される第1のインタラクティブインターフェースから第2のインタラクティブインターフェースに切り替えるために使用される。
【００６３】
そこで、第2のインタラクティブインターフェースは、上記のオンライン情報と異なるオンライン情報を表示するために使用され得る。例えば、上記のオンライン情報は、ページ情報であり、第2のインタラクティブインターフェースは、会話情報を表示している。
【００６４】
表示ユニット51は、第2のインタラクティブインターフェースから第1のインタラクティブインターフェースに切り替え、第1のインタラクティブインターフェースを、オンライン情報を表示するための表示命令を受信したときに、記憶ユニット52に保存されている現在の位置情報に従って現在のオンライン情報を表示するように制御するためにも使用される。
【００６５】
表示命令が受信されると、デバイスは、現在の位置情報に従って現在のオンライン情報を表示するように第1のインタラクティブインターフェースを制御することを可能にされる。したがって、ユーザは、最後の閲覧セッションが終了した位置から上記のオンライン情報を読むことを続けることができる。例えば、オンライン情報がページ情報(例えば、テキスト情報)であり、現在のオンライン情報がページ情報のパラグラフ7であるときに、表示ユニット51は、ページ情報の最初の6個のパラグラフを飛び越して、パラグラフ7を直接表示することができる。例えば、オンライン情報がソーシャルネットワーク情報(例えば、Wechat情報)であり、現在のオンライン情報がユーザAのソーシャルネットワーク情報であるときに、表示ユニット51は、ユーザAの前のユーザのソーシャルネットワーク情報を飛び越して、ユーザAのソーシャルネットワーク情報を直接表示することができる。
【００６６】
別の実施形態では、記憶ユニット52は、特に、第1のインタラクティブインターフェースを切り替えるための切り替え命令を受信したときにオンライン情報の先頭から現在のオンライン情報の位置までのオフセット情報を保存するために使用される。
【００６７】
表示ユニット51は、オンライン情報を表示するための表示命令を受信したときに第2のインタラクティブインターフェースから第1のインタラクティブインターフェースに切り替え、第1のインタラクティブインターフェースを、記憶ユニット52によって保存されているオフセット情報に従って現在のオンライン情報の位置へ制御し、現在のオンライン情報を表示するためにも使用される。
【００６８】
特に、表示ユニット51が、上記のオンライン情報を表示するときに、現在のオンライン情報のコンテンツのドラッグ操作が受け入れられた後、記憶ユニット52は、ドラッグ操作に対応するオフセット情報を記録する。オフセット情報のオフセット値は、現在のオンライン情報のドラッグ変位に等しい。そこで、記憶ユニット52は、現在のオフセット情報、すなわち、先頭から現在のオンライン情報の位置までの変位を保存することができる。
【００６９】
上記の実施形態では、第1のインタラクティブインターフェースを通じてオンライン情報を閲覧するプロセスは、オンライン情報を表示するための要求メッセージをオンライン情報が配置されるサーバに送信するステップを含むものとしてよく、サーバが、要求メッセージを受信すると、オンライン情報は、第1のインタラクティブインターフェースに対応する端末に送信される。オンライン情報が受信されると、オンライン情報は、第1のインタラクティブ上に表示されるものとしてよく、第1のインタラクティブインターフェースは、オフセット位置に従って現在のオンライン情報の位置までスキップするように制御される。第1のインタラクティブインターフェースは、現在のオンライン情報の位置までスキップするように制御される、すなわち、現在のオンライン情報が第2のウィンドウに出力される。それによって、ユーザは、最後の閲覧セッションが終了した位置から情報を読むことを続けることができ、閲覧の効率が改善され得る。
【００７０】
別の実施形態に関して、表示ユニット51は、オンライン情報を表示するための表示命令を受信したときに第2のインタラクティブインターフェースから第1のインタラクティブインターフェースに切り替え、記憶ユニット52によって保存されている現在の位置情報をオンライン情報が配置されているサーバに送信し、サーバによって送信された現在のオンライン情報を受信し、第1でインタラクティブインターフェース内に現在のオンライン情報を表示するためにも使用される。
【００７１】
上記の現在の位置を受信した後に、サーバは、現在のオンライン情報を選択し、現在のオンライン情報をデバイスに送信することができる。サーバは、第1のインタラクティブインターフェースに対応するデバイスにオンライン情報のターゲットデータを送信する。そこで、オンライン情報のターゲットデータは、特に、現在のオンライン情報の位置からプリセットされた位置までのオンライン情報であってよい。そこで、プリセットされた位置は、特に、現在のオンライン情報の後、または下に設定されるものとしてよく、プリセットされた位置は、特に、ユーザの操作に従って予め設定されるか、またはサーバによって事前に割り当てられ得る。例えば、上記の位置までのオフセット距離は、特定の値であるか、または上記のプリセットされた位置は、終わりの位置である。例えば、上記のオンライン情報が、マイクロブログ情報である場合、オンライン情報のターゲットデータは、現在のオンライン情報および現在のオンライン情報よりも後に発行されるオンライン情報を含み得る。
【００７２】
一実施形態では、第1のインタラクティブインターフェースは、スキップを必要とすることなく、上記の現在のオンライン情報を直接表示することができる。スキップするステップは必要なく、このプロセスを実現するためのデバイスの電力消費量は、低減され得る。
【００７３】
別の実施形態に関して、表示ユニット51は、オンライン情報を表示するための表示命令を受信したときに第2のインタラクティブインターフェースから第1のインタラクティブインターフェースに切り替え、記憶ユニットによって保存されている現在の位置情報に従って事前に記憶されているオンライン情報から現在のオンライン情報にアクセスし、現在のオンライン情報を第1のインタラクティブインターフェースに表示するためにも使用される。
【００７４】
そこで、予め記憶されているオンライン情報は、特に、表示ユニット51によって表示されているオンライン情報および上記の現在のオンライン情報、さらには現在のオンライン情報の後のオンライン情報、または上記のオンライン情報のターゲットデータであってよい。
【００７５】
一実施形態では、第1のインタラクティブインターフェースは、スキップを必要とすることなく、上記の現在のオンライン情報を直接表示することができる。スキップするステップは必要なく、この機器を含むデバイスの電力消費量は、低減され得る。
【００７６】
いくつかの実施形態では、デバイスは、オンライン閲覧機能を備える任意のデバイスであってよい、すなわち、デバイスは、タブレットPC、携帯電話、電子書籍リーダー、リモーター、パーソナルコンピュータ(PC)、ラップトップ、車載機器、Web TV、ウェアラブルデバイス、およびネットワーク機能を有する他のスマートデバイスなどを含み得る。
【００７７】
上記の技術スキームは、第1のインタラクティブインターフェース内にオンライン情報を表示するステップと、第1のインタラクティブインターフェースを切り替えるための切り替え命令を受信したときに、現在のオンライン情報の位置を表すために使用される現在の位置情報を保存するステップであって、現在のオンライン情報は、切り替え命令を受信したときに第1のインタラクティブインターフェース上に現在表示されている情報である、ステップと、切り替え命令に従って第1のインタラクティブインターフェースから第2のインタラクティブインターフェースに切り替えるステップと、オンライン情報を表示するための表示命令を受信したときに、第2のインタラクティブインターフェースから第1のインタラクティブインターフェースに切り替え、第1のインタラクティブインターフェースを、現在の位置情報に従って現在のオンライン情報を表示するように制御するステップとを含む。したがって、オンライン情報が再び表示されるときに、ユーザは、最後の表示位置から情報を閲覧することを開始することができる。すなわち、現在のオンライン情報が直接表示され、このことにより、情報の閲覧効率が向上し、デバイスの電力消費量が節減される。
【００７８】
図6は、本開示の実施形態によって提供される情報を表示するための方法の構造図を示している。図6に示されているように、これは、表示ユニット61と、記憶ユニット62と、切り替えユニット63とで構成される。
【００７９】
表示ユニット61は、第1のインタラクティブインターフェース内にオンライン情報を表示するために使用される。
【００８０】
特に、オンライン情報は、第1のインタラクティブインターフェース上に表示されるものとしてよく、そこでは、第1のインタラクティブインターフェースは、通信のインタラクティブインターフェースであり得る。オンライン情報は、ページ情報または会話情報を含み得る。
【００８１】
例えば、オンライン情報が、インタラクティブインターフェースに表示されるときに、オンライン情報は、表示され得る任意の情報、例えば、ページ情報または会話情報であってよい。特に、上記の通信は、リアルタイム通信であってよい。上記のページ情報は、ソーシャルネットワーク情報であってよく、会話情報は、グループ会話情報または単一のアカウントの会話情報であってよい。
【００８２】
記憶ユニット62は、第1のインタラクティブインターフェースを切り替えるための切り替え命令を受信したときに現在のオンライン情報の位置を表すための現在の位置情報を保存するために使用され、そこでは、現在のオンライン情報は、切り替え命令を受信したときに第1のインタラクティブインターフェース上に現在表示されている情報である。
【００８３】
一実施形態では、ユーザの切り替え命令が受信され、切り替え命令が受信されると、現在の位置情報は保存される。特に、現在のオンライン情報は、現在のオンライン情報の位置、例えば、オンライン位置情報のオフセット値、すなわち、上記のオンライン情報内の現在のオンライン情報の位置によって直接表される。一実施形態では、現在のオンライン情報は、現在のオンライン情報の位置、例えば、現在のオンライン情報のブックマークによって間接的に表される。すなわち、ブックマークは、現在のオンライン情報の位置を決定するために用いられ得る、現在のオンライン情報の唯一の識別である。
【００８４】
上記のオンライン情報は、特に、ある種のページまたはある種のオンライン情報であり得、現在のオンライン情報は、上記のオンライン情報の何らかの部分であると宣言されるべきである。例えば、マイクロブログに対応する場合、上記のオンライン情報は、ユーザAのマイクロブログホームページを意味し、現在のオンライン情報は、ユーザAの関心事リスト内の別のユーザによって発行された情報を意味し得る。例えば、グループダイアローグに対応する場合、オンライン情報は、グループ会話情報のすべてを意味し、現在のオンライン情報は、何らかの会話情報のコンテンツを意味し得る。
【００８５】
切り替えユニット63は、記憶ユニット62によって受信された切り替え命令に従って表示ユニット61によって表示される第1のインタラクティブインターフェースから第2のインタラクティブインターフェースに切り替えるために使用される。
【００８６】
そこで、第2のインタラクティブインターフェースは、上記のオンライン情報と異なるオンライン情報を表示するために使用され得る。例えば、上記のオンライン情報は、ページ情報であり、第2のインタラクティブインターフェースは、会話情報を表示している。
【００８７】
表示ユニット61は、第2のインタラクティブインターフェースから第1のインタラクティブインターフェースに切り替え、第1のインタラクティブインターフェースを、オンライン情報を表示するための表示命令を受信したときに、記憶ユニット62によって保存されている現在の位置情報に従って現在のオンライン情報を表示するように制御するためにも使用される。
【００８８】
表示命令が受信されると、デバイスは、現在の位置情報に従って現在のオンライン情報を表示するように第1のインタラクティブインターフェースを制御する。したがって、ユーザは、最後の閲覧セッションが終了した位置から上記のオンライン情報を読むことを続けることができる。例えば、オンライン情報がページ情報(例えば、テキスト情報)であり、現在のオンライン情報がページ情報のパラグラフ7であるときに、表示ユニット61は、ページ情報の最初の6個のパラグラフを飛び越して、パラグラフ7を直接表示することができる。例えば、オンライン情報がソーシャルネットワーク情報(例えば、Wechat情報)であり、現在のオンライン情報がユーザAのソーシャルネットワーク情報であるときに、表示ユニット61は、ユーザAの前のユーザのソーシャルネットワーク情報を飛び越して、ユーザAのソーシャルネットワーク情報を直接表示することができる。
【００８９】
別の実施形態では、記憶ユニット62は、特に、第1のインタラクティブインターフェースを切り替えるための切り替え命令を受信したときにオンライン情報の先頭から現在のオンライン情報の位置までのオフセット情報を保存するためにも使用される。
【００９０】
表示ユニット61は、オンライン情報を表示するための表示命令を受信したときに第2のインタラクティブインターフェースから第1のインタラクティブインターフェースに切り替え、第1のインタラクティブインターフェースを、記憶ユニット62によって保存されているオフセット情報に従って現在のオンライン情報の位置へ制御し、現在のオンライン情報を表示するためにも使用される。
【００９１】
特に、表示ユニット61が、上記のオンライン情報を表示するときに、現在のオンライン情報のコンテンツのドラッグ操作が受け入れられた後、記憶ユニット62は、ドラッグ操作に対応するオフセット情報を記録する。オフセット情報のオフセット値は、現在のオンライン情報のドラッグ変位に等しい。そこで、記憶ユニット62は、現在のオフセット情報、すなわち、トップから現在のオンライン情報の位置までの変位を保存することができる。
【００９２】
上記の実施形態では、第1のインタラクティブインターフェースでオンライン情報を閲覧するプロセスは、オンライン情報を表示するための要求メッセージをオンライン情報が配置されるサーバに送信するステップを含むものとしてよく、サーバが、要求メッセージを受信すると、オンライン情報は、端末に送信される。オンライン情報が受信されると、オンライン情報は、第1のインタラクティブ上に表示されるものとしてよく、第1のインタラクティブインターフェースは、オフセット位置に従って現在のオンライン情報の位置までスキップするように制御される。第1のインタラクティブインターフェースは、現在のオンライン情報の位置までスキップするように制御される、すなわち、現在のオンライン情報が第2のウィンドウに出力される。それによって、ユーザは、最後の閲覧セッションが終了した位置から情報を読むことを続けることができ、閲覧の効率が改善され得る。
【００９３】
別の実施形態に関して、表示ユニット61は、オンライン情報を表示するための表示命令を受信したときに第2のインタラクティブインターフェースから第1のインタラクティブインターフェースに切り替え、記憶ユニット62によって保存されている現在の位置情報をオンライン情報が配置されているサーバに送信し、サーバによって送信された現在のオンライン情報を受信し、第1でインタラクティブインターフェースを通じて現在のオンライン情報を表示するためにも使用される。
【００９４】
上記の現在の位置を受信した後に、サーバは、現在のオンライン情報を選択し、現在のオンライン情報をデバイスに送信する。サーバは、デバイスにオンライン情報のターゲットデータを送信し得る。そこで、オンライン情報のターゲットは、特に、現在のオンライン情報の位置からプリセットされた位置までのオンライン情報であってよい。そこで、プリセットされた位置は、特に、現在のオンライン情報の後、または下に設定されるものとしてよく、プリセットされた位置は、特に、ユーザの操作に従って予め設定されるか、またはサーバによって事前に割り当てられ得る。例えば、上記の位置までのオフセット距離は、特定の値であるか、または上記のプリセットされた位置は、終わりの位置である。例えば、上記のオンライン情報が、マイクロブログ情報である場合、オンライン情報のターゲットデータは、現在のオンライン情報および現在のオンライン情報よりも後に発行されるオンライン情報を含み得る。
【００９５】
これらの実施形態では、第1のインタラクティブインターフェースは、スキップを必要とすることなく、上記の現在のオンライン情報を直接表示することができる。スキップするステップは必要なく、このプロセスを実現するためのデバイスの電力消費量は、低減され得る。
【００９６】
別の実施形態に関して、表示ユニット61は、オンライン情報を表示するための表示命令を受信したときに第2のインタラクティブインターフェースから第1のインタラクティブインターフェースに切り替え、記憶ユニットによって保存されている現在の位置情報に従って事前に記憶されているオンライン情報から現在のオンライン情報にアクセスし、現在のオンライン情報を第1のインタラクティブインターフェースに表示するためにも使用される。
【００９７】
そこで、予め記憶されているオンライン情報は、特に、表示ユニット61によって表示されているオンライン情報および上記の現在のオンライン情報、さらには現在のオンライン情報の後のオンライン情報、または上記のオンライン情報のターゲットデータであってよい。
【００９８】
一実施形態では、第1のインタラクティブインターフェースは、スキップを必要とすることなく、上記の現在のオンライン情報を直接表示することができる。スキップするステップは必要なく、この機器を含むデバイスの電力消費量は、低減され得る。
【００９９】
デバイスは、オンライン閲覧機能を備える任意のデバイスであってよい、すなわち、デバイスは、タブレットPC、携帯電話、電子書籍リーダー、リモーター、パーソナルコンピュータ(PC)、ラップトップ、車載機器、Web TV、ウェアラブルデバイス、およびネットワーク機能を有する他のスマートデバイスなどを含み得る。
【０１００】
上記の技術スキームは、第1のインタラクティブインターフェース内にオンライン情報を表示するステップと、第1のインタラクティブインターフェースを切り替えるための切り替え命令を受信したときに、現在のオンライン情報の位置を表すために使用される現在の位置情報を保存するステップであって、現在のオンライン情報は、第1のインタラクティブインターフェース上に現在表示されている情報である、ステップと、切り替え命令に従って第1のインタラクティブインターフェースから第2のインタラクティブインターフェースに切り替えるステップと、オンライン情報を表示するための表示命令を受信したときに、第2のインタラクティブインターフェースから第1のインタラクティブインターフェースに切り替え、第1のインタラクティブインターフェースを、現在の位置情報に従って現在のオンライン情報を表示するように制御するステップとを含む。したがって、オンライン情報が再び表示されるときに、ユーザは、最後の表示位置から情報を閲覧することを開始することができる。すなわち、現在のオンライン情報が直接表示され、このことにより、情報の閲覧効率が向上し、デバイスの電力消費量が節減される。
【０１０１】
上記の実施形態におけるプロセスの全体または一部は、コンピュータプログラムの命令の下で関連ハードウェアを通じて実現されるものとしてよく、そこでは、プログラムは、コンピュータ可読メモリ媒体に記憶され得る。プログラムが実行されるときに、上記の方法の実施形態における流れプロセスが含まれ得る。上記のメモリ媒体は、ディスケット、光ディスク、リードオンリーメモリ(ROM)、またはランダムアクセスメモリ(RAM)、または同様のものであってよい。
【０１０２】
上記のすべての開示は、本開示の実施形態であり、これは本発明の範囲を制限することを意図していない。したがって、本発明の請求項による同等の変更は、依然として、本発明の範囲内にある。
【符号の説明】
【０１０３】
51  表示ユニット
52  記憶ユニット
53  切り替えユニット
61  表示ユニット
62  記憶ユニット
63  切り替えユニット
【図１】
0006316408.tif 000002
【図２】
0006316408.tif 000003
【図３】
0006316408.tif 000004
【図４】
0006316408.tif 000005
【図５】
0006316408.tif 000006
【図６】
0006316408.tif 000007